(57)【要約】  本発明はフィルタエレメントに関し、より具体的には、空気中の塵埃を除去するためのフィルタエレメントに関する。本発明の一実施形態では本発明のフィルタエレメント（１００）が第１の側部（１１１）および第２の側部（１１２）を有するハウジング（１１０）と、前記ハウジング内のフィルタ材料（１２０）と、吸引チャンバ（１３０）を形成するための前記フィルタ材料と前記ハウジングの前記第１の側部との間の空間（１３０）と、前記第１の側部（１１１）内の少なくとも１つの孔（１４０）とを備え、前記ハウジング（１１０）の前記第１の側部（１１１）に面するフィルタ材料の面の外周内の面積は前記少なくとも１つの孔（１４０）の面積よりも大きい。【選択図】  図１
2021532969.tif 000002
【特許請求の範囲】
【請求項１】
空気から塵埃をフィルタリングするためのフィルタエレメント（１００）であって、前記フィルタの装置は、モータと、前記装置の内部の空気および前記フィルタエレメントを通る空気を吸引するインペラとを備え、
前記フィルタエレメントは、
第１の側部（１１１）および第２の側部（１１２）を有するハウジング（１１０）と、
前記ハウジング内のフィルタ材料（１２０）と、
前記フィルタ材料と前記ハウジングの前記第１の側部の間の吸引チャンバ（１３０）を形成する空間（１３０）と、
前記第１の側部（１１１）の少なくとも１つの孔（１４０）
を少なくとも備え、
前記ハウジングの前記第１の側部に面する前記フィルタ材料の外周内の面積が前記少なくとも１つの孔の面積よりも大きいことを特徴とするフィルタエレメント。
【請求項２】
前記第１の側部の孔が、前記孔を覆うフラップ（３２０）を形成する切欠（３１０）によって画定されることを特徴とする請求項１に記載のフィルタエレメント。
【請求項３】
前記フラップ（３２０）は、前記孔を開けて飛沫ガードを形成するように曲げることができることを特徴とする請求項２に記載のフィルタエレメント。
【請求項４】
前記フラップ（３２０）は前記ハウジングの前記第１の側部（１１１）を前記フィルタ材料（１２０）から離間して保持するための機械的支持を形成するように、前記フィルタ材料に向かって曲げることができることを特徴とする請求項２に記載のフィルタエレメント。
【請求項５】
前記フィルタエレメントが、前記ハウジングの前記第１の側部の孔のための取り外し可能なカバー（５１０）を備えることを特徴とする請求項１に記載のフィルタエレメント。
【請求項６】
前記ハウジングの前記第１の側部の前記１つ以上の孔を覆うように折り畳むことができ、前記１つ以上の孔に向かう空気流のためのガイドを提供するように開くことができる少なくとも２つのドア（６１０）をさらに備えることを特徴とする請求項１に記載のフィルタエレメント。
【発明の詳細な説明】
【技術分野】
【０００１】
本発明はフィルタエレメント（又は、フィルタ素子／フィルタ要素）に関し、より具体的には、空気中の塵埃ダスト（又は、ダスト／ほこり／dust）を除去するためのフィルタエレメントに関する。
【背景技術】
【０００２】
空気から塵埃を除去するフィルタの取り扱い及び交換は、典型的にはかなりほこりの多い仕事である。
【０００３】
特許ＵＳ７９９３４３７は、フィルタを交換する際の塵埃の拡散の問題を記載している。この特許に記載されている解決策は、フィルタ交換中に塵埃の広がりを止めるためにプラスチック袋を使用することであった。プラスチックバッグの使用を含むいくつかの類似の構造が特許されている。
【０００４】
特許ＵＳ６１４９６９９はフィルタのハウジングとともに、および真空を使用して、変更中にフィルタエレメント内の低圧を維持することによって、フィルタを変更することを教示している。
【発明の開示】
【発明が解決しようとする課題】
【０００５】
塵埃除去は、建設現場において常に存在する問題である。作業の多くの異なる段階は、作業の特定の段階及び取り扱われる材料に応じて、有害な塵埃を生成する。たとえば、テーブルソーでは木粉が発生し、孔あけやハツリでは有害な石粉が発生する。モルタル、コンクリート、および石膏を混合すると、有害な微粉が大量に発生する。
【０００６】
空気スクラバーは通常、空気の清浄化、空気の再循環、作業スペースから塵埃の多い空気を吸い込むために、建設現場で使用される。これらは作業空間内の空気中に浮遊する塵埃の量を減らし、わずかな真空は空気スクラバーを通って外へのわずかな真空下での塵埃の作業空間外への流出を防ぐ。しかし、エアスクラバーは、特定の作業場所から塵埃を非常に効率的に除去するわけではない。典型的な空気スクラバーの問題点は、粉塵の雲が発生したときに空気から粉塵を除去するのに気流速度が最適でないことである。さらに、典型的なエアスクラバー内の粗いフィルタは粉塵の雲で素早く飽和し、これが気流を減少させる原因となることがある。
【０００７】
典型的な空気スクラバーのさらなる問題は、スクラバーによって収集された塵埃が環境中に容易に放出されすぎることである。これは、エアスクラバーの典型的な構造に起因しており、フィルタエレメントが装置の面に露出している。装置のスイッチが切られ、空気流がないとき、装置のわずかな振動またはナッジは、いくらかの塵埃を容易に移動させ、塵埃を床に落下させるか、または空気中に浮遊するようにする。また、フィルタエレメントの交換は、交換中にフィルタエレメント上の多くの塵埃が広がるので、面倒である傾向がある。
【０００８】
特許出願ＵＳ２０１１０３１２２６１Ａ１から、強いブロワーが作業場所から粉塵を取り除くテント状の構造に接続された解決策が知られている。この解決策は作業者が自分の塵埃生成工具でテント状構造に適合し、それによって十分な吸引でこの種の解決策は、テント状構造の外側に塵埃が逃げるのを防止する可能性があるという利点を有する。しかしながら、この種の構造は、労働者自身を何ら保護するものではない。構造はいくつかの別個の大きな構成要素からなるので、構造の移動もやっかいである。
【０００９】
他のタイプの目標スポット塵埃除去溶液が知られている。特許出願ＵＳ２００９０１６１５１Ａ１はモルタル等の混合時に発生する塵埃を除去するための解決策であり、混合容器の上部に設置された吸着リングを用いて塵埃除去を実施するものである。この種の解決策は明らかに、混合容器から生じる塵埃を除去するのにかなり効率的である。しかしながら、この種の解決策は、モルタル粉末がモルタルの袋から混合容器に注がれる前の時点では役に立たない。これは、多くの塵埃を生成する作業段階である。外気空間で吸着リングの上方に塵埃が発生すると、除塵の有効性が不可避的に悪くなる。加えて、固定されたサイズの吸引リングは、異なるサイズの容器での使用にあまりうまく適用されない。
【００１０】
さらに、特許出願ＰＣＴ／ＦＩ２０１５／００００４３は空気から塵埃を除去し、水と乾燥モルタルとの混合からなど、大量の塵埃が生成される作業場所から塵埃を除去するのに特に有用な装置を記載している。しかしながら、この解決策においてさえ、フィルタを交換することは、かなり面倒である。
【課題を解決するための手段】
【００１１】
本発明の目的はフィルタ交換中に塵埃の拡散を回避しながら、フィルタエレメントの容易な変更を可能にするフィルタエレメントを提供することである。本発明の更なる目的はフィルタエレメントを含むフィルタリング装置がスイッチオフされたとき、及びそのようなフィルタリング装置の移動中に、フィルタエレメント内に集められた塵埃の拡散を抑制するフィルタエレメントを提供することである。
【００１２】
これらの目的はフィルタ材料をハウジング内に配置し、吸引チャンバを形成するためにフィルタ材料とハウジングの第１の側部との間に空間を配置し、前記第１の側部に少なくとも１つの孔を配置し、前記ハウジングの前記第１の側部に面するフィルタ材料の外周内の面積は、前記少なくとも１つの孔の面積よりも大きいことにより達成される。吸引チャンバは、塵埃の一部を吸引チャンバの底部に沈殿させ、それによってフィルタ材料の目詰まりを減少させる。さらに、吸引チャンバは、フィルタエレメントから塵埃を緩める可能性があるあらゆる振動または衝撃が依然としてフィルタエレメント内に残っている緩められた塵埃を、吸引チャンバの底部に落下させるので、すでに収集された塵埃の環境への拡散を低減する。さらに、吸引チャンバ内の乱流空気によって運ばれる塵埃粒子も、吸引チャンバの壁またはフィルタの表面に衝突し、吸引チャンバの底部に落下することが多い。また、気流の乱れによって吸引チャンバ内の空気に放出されるいかなる塵埃も、吸引チャンバ内に滞留する傾向がある。さらに、フィルタ材料とハウジングの第１の側部の１つまたは複数の孔の表面積の差によって、フィルタ材料内に塵埃を残すのに十分なほどフィルタ材料の単位面積当たりの空気流を低く保ち、フィルタ材料を通過する塵埃の通過を回避しつつ、フィルタエレメント内への空気流がフィルタエレメント内に塵埃を運ぶのに十分なほど速くすることが可能になる。
【００１３】
上記の概要は本明細書に開示された本発明の多くの実施形態のうちの１つのみに関するものであり、本明細書の特許請求の範囲に記載された本発明の範囲を限定することを意図するものではない。本発明のこれらおよび他の特徴は、本明細書において以下により詳細に記載される。
【図面の簡単な説明】
【００１４】
本発明の様々な実施形態は、添付の図面を参照して、単なる例として、以下に詳細に説明される。
図１は、本発明の一実施形態によるフィルタエレメントの構造を示す。
図２は、本発明の一実施形態によるフィルタエレメントの使用のためのシナリオを示す。
図３は、本発明の一実施形態によるフィルタエレメントのハウジングの孔およびフラップの構造を示す図である。
図４は、フラップを使用してフィルタエレメントの第１の側部を支持することができる、本発明のさらなる実施形態を示す。
図５は、一実施形態を示し、フィルタエレメントは、ハウジングの第１の側部の少なくとも１つの孔を覆うための着脱可能なカバーを備える。
図６Ａおよび６Ｂは、フィルタエレメントが２つのドアをさらに備える本発明の実施形態を示す。
図面において、同様の構成要素には同様の参照番号が使用されている。
【発明を実施するための形態】
【００１５】
以下の実施形態は例示的なものである。本明細書は「１つの（ａｎ）」、「１つの（ｏｎｅ）」、または「いくつかの（ｓｏｍｅ）」実施形態を指すことがあるが、これは必ずしも、そのような各言及が同じ実施形態（複数可）に対するものであること、または特徴が単一の実施形態にのみ適用されることを意味するものではない。異なる実施形態の単一の特徴を組み合わせて、さらなる実施形態を提供することができる。
【００１６】
以下では、本発明の特徴を、本発明の様々な実施形態を実施することができるフィルタの簡単な例を用いて説明する。実施形態を説明するために関連する要素のみが詳細に説明される。
【００１７】
当業者に一般に知られている詳細は、本明細書では具体的に説明されないことがある。
【００１８】
以下では、本発明の実施形態の特定の例を説明する。図１は、本発明の一実施形態による、空気から塵埃をフィルタリングするためのフィルタエレメント１００の断面を示す。図１は、フィルタエレメントのハウジング１１０を示す。この筐体は第１の側部１１１と第２の側部１１２とを有し、第１の側部が吸気側であり、第２の側部が排気側である。ハウジング１１０は、フィルタ材料１２０を含む。フィルタ材料１２０は自由空間１３０、吸引チャンバ１３０が形成され、自由空間１３０内の空気の自由な移動を可能にするように、ハウジング１１０内に配置される。ハウジングの第１の側部１１１は、１つまたは複数の孔１４０を有する。ハウジングの第２の側部１１２は、少なくとも１つの排気孔１４５を有する。図１の例は３つの孔１４０を示しているが、これは本発明を限定するものではない。本発明の様々な実施形態では、例えば、１つの孔のみ、または３つ以上の孔があってもよい。１つまたは複数の孔１４０の合計面積は、ハウジング１１０の第１の側部１１１に対向するフィルタ材料の側部１２１の外周内の面積よりも小さい。
【００１９】
自由空間１３０、すなわち吸引チャンバ１３０は、いくつかの利点をもたらす。チャンバは、すでに収集された塵埃が振動または移動によってフィルタエレメントの外の空気中に誤って浮遊することなく、フィルタエレメント内で既に収集された塵埃の維持を促進する。これは、フィルタエレメントのチャンバ内にフィルタ材料があるためであり、フィルタエレメントが設置されているフィルタ装置のスイッチが切られ、および／または他の方法で妨害されたときに、フィルタから落下する可能性のある塵埃がフィルタエレメントの外側のどこかではなく、チャンバ１３０の底部に落下する。また、チャンバから出る空気の流れだけがフィルタ材料を通過するため、フィルタ材料の表面に近い乱流によってフィルタ材料の表面から浮遊するいかなる塵もチャンバ内に残留する。
【００２０】
１つまたは複数の孔１４０の総面積がハウジング１１０の第１の側部１１１に面するフィルタ材料の側部１２１の外周よりも小さいという特徴は、また、いくつかの利益をもたらす。第１に、その特徴は、フィルタ材料を通る空気流速度よりも入口空気流速度を高くする原因となる。空気流の速度が速いほど、低い空気流の速度よりも、空気中のいかなる粉塵もフィルタエレメントにより良好に運ばれる。さらに、フィルタ材料は一般に、フィルタ材料を通過する気流速度が速いほど多くの塵埃粒子を通過させる。しかし、低い気流速度では、フィルタ材料全体に塵埃が集められ、フィルタ材料が詰まりすぎる前に、より多くの塵埃を集めることができる。その結果、１つまたは複数の孔の総面積をフィルタ材料の表面積よりも小さくすることによって、最適なフィルタリングの解決策に到達するが、これは入口での流入空気流速度が塵粒子を運ぶのに十分に高いが、フィルタ材料を通る空気流は高過ぎないからである。
【００２１】
また、チャンバ内の低い気流速度および／または乱流によって、塵埃の一部がチャンバの底部に沈殿することが可能になる。これにより、フィルタ材の集塵負荷が軽減され、フィルタ材の目詰まりが軽減され、フィルタエレメントの交換が必要になるまでの時間が長くなる。本発明者らによって行われた実験では、チャンバの底部に沈降した塵埃の量がフィルタ材料内に保持された塵埃の量を５倍も超えていることが多い。この効果は、従来技術のフィルタと比較して、本発明のフィルタ構造のフィルタ交換周期を長くすることを可能にする。また、吸引チャンバ内の遅い気流速度はフィルタ材料が捕集する多くの塵埃がフィルタ材料の前面側に留まるという効果を有し、そこでは、特にフィルタ装置がオフにされる時間、すなわちフィルタエレメントを通る気流が存在しない間、塵埃が容易に落下して吸引チャンバの底部に落下する可能性がある。また、気流速度が遅いため、塵埃が吸引チャンバの内壁に付着する可能性があり、そこからまた塵埃が吸引チャンバの底部に落ちやすくなる。吸引チャンバの更なる有益な効果は、吸引チャンバ内の流入空気の乱流がフィルタ材料の表面上に塵埃をより均等に分散させることである。吸引入口及び吸引チャンバは乱流を空気流に生じさせることによって入ってくる塵埃のブレーキとして有効に作用し、その速度を空気流と共に遅くし、それにより、入ってくる塵埃の直接的な移動を少なくとも部分的にブロックしてそれを吸引チャンバ及びフィルタ材料の前面の周囲に広げる。
【００２２】
吸引チャンバの深さ、すなわち、フィルタ材料の前面とハウジングの第１の側部との間の距離は、空気の乱流が吸引チャンバ内に流入する塵埃を拡散させるのに十分な大きさである必要がある。本発明者らは深さが１ｃｍを超えるべきであり、好ましくは２ｃｍ以上であるべきであることを見出した。寸法が４０ｃｍ×６０ｃｍのフィルタエレメントによる実験で、発明者らは吸引チャンバの深さがおよそ４〜６ｃｍ、すなわちフィルタエレメントの横方向寸法のおよそ１０％であった場合に、良好な集塵結果を観察した。しかしながら、正確な測定値は用途に依存するので、本発明はこれらの範囲に限定されない。深さは、１０％より大きくても小さくてもよい。本発明の一実施形態では、吸引チャンバの深さはフィルタエレメントの横方向測定値のおおよそ１０％〜２０％である。本発明のさらなる実施形態では、吸引チャンバの深さはフィルタエレメントの横方向寸法の約５％以下であってもよい。本発明のさらに別の実施形態では、吸引チャンバの深さはフィルタエレメントの横方向寸法の約２％以下とすることができる。
【００２３】
フィルタエレメント内のフィルタ材料の表面積を増加させる１つの一般的な方法は、フィルタエレメントをジグザグ状に折り畳むことである。この種のフィルタ材料の構成は、本発明の実施形態においても使用することができる。このような実施形態では、吸引チャンバの深さはフィルタエレメントのハウジングの第１の側部に最も近いフィルタ材料の折り目から測定される。
【００２４】
本発明の一実施形態では、フィルタ材料が異なるタイプのフィルタ材料の２つ以上の層を含む。フィルタ材料の種類、層の数、及び層の厚さは全て用途に依存するので、本明細書ではこれ以上詳細に説明しない。当業者は、異なる用途のためにフィルタ材料タイプの異なる組み合わせを構成することができる。
【００２５】
フィルタ材料の中には、空気がフィルタ材料を通して吸引されるとき、気流だけによってフィルタ材料が圧縮されるように十分に柔らかいものもある。本発明の一実施形態では、この効果が本発明のフィルタエレメントが配置されるフィルタ装置の使用中に吸引チャンバを生成するために使用される。このような実施形態に従って製造されたフィルタエレメントは空気流にさらされていないときに、機能的な吸引チャンバを形成するのに十分な自由空間を有しておらず、使用中にのみ良好に機能する吸引チャンバを有していてもよい。
【００２６】
フィルタ材料の外周内の第１の面積と、ハウジングの第１の側部における１つ又は複数の孔の組み合わせられた第２の面積の間の差は、本発明の異なる実施形態において異なることができる。本発明の一実施形態では、第２の面積が第１の面積よりも小さい。本発明のさらなる実施形態では、第２の面積が第１の面積の８０％以下である。本発明のさらに別の実施形態では、第２の面積が第１の面積の６０％以下である。本発明のさらに別の実施形態では、第２の面積が第１の面積の４０％以下である。本発明のさらに別の実施形態では、第２の面積が第１の面積の２０％以下である。この２つの面積の正確な比率は用途に依存し、例えば捕集される塵埃の種類および量、フィルタ材料、およびフィルタエレメントのサイズに応じて異なる値に最適化することができる。
【００２７】
図２は、図１に示される本発明の一実施形態によるフィルタエレメント１００の使用のための１つのシナリオを示す。図２が携帯型空気フィルタ装置２００の図を示す。空気フィルタ装置は、フィルタエレメント１００を備える。図２はまた、フィルタリングの品質をさらに向上させるための第２段のフィルタリング要素２１０を示す。フィルタ装置は、装置内部およびフィルタ１００、２１０を通して空気を吸引するためのモータおよびインペラユニット２２０を備える。図２の例では、装置２００が作業現場での運搬を容易にするために、車輪とハンドル２３０を含む。この種の装置は例えばモルタルの混合から塵埃を除去するなど、単一の場所から目標とする塵埃を除去するのに非常に有用である。モルタルが混合されたバケツのすぐそばに装置を置くと、乾燥したモルタルをバケツに注ぎ込んで放出された塵埃が、塵埃が作業現場の他の場所に広がる前に装置に吸い込まれる。
【００２８】
図３は、本発明の一実施形態による、フィルタエレメントのハウジング内の孔およびフラップの構造を示す図である。図３は、カットアウト（又は、切欠）３１０と、該カットアウトによって生成されるフラップ３２０とを備える、フィルタエレメントの第１の側部１１１を示す。フラップが曲がると、カットアウト３１０で区切られた孔が開く。図３の破線３１１は、フラップ３２０を折り曲げることができる折り曲げ線を示す。本発明の様々な実施形態では、フラップがフィルタ材料に向かう方向またはフィルタ材料から離れる方向のいずれかの方向に曲げることができる。
【００２９】
図３の例は、フィルタエレメントのハウジングの第１の側部１１１における１つの孔およびフラップを示す。しかしながら、これは本発明の実施形態の一例に過ぎず、フィルタエレメントのハウジングの第１の側部１１１は本発明の異なる実施形態では複数の孔およびフラップを有することができる。
【００３０】
本発明の特定のさらなる実施形態では、全ての孔がフラップを有する必要はない。第１の側部１１１が複数の孔を有する本発明のさらなる実施形態では、孔の一部のみがフラップ３２０を有する。
【００３１】
本発明のさらなる実施形態では、フラップ３２０がフィルタエレメントの前方に混入してフィルタエレメントに当たるモルタルの飛沫がフィルタ材料に当たるのを防止又は少なくとも減少させるために、飛沫ガードを形成する。
【００３２】
本発明のさらなる実施形態では、フラップ３２０がフィルタエレメントから取り外し可能である。
【００３３】
フラップ３２０は、フィルタエレメントが使用される前にフィルタ材料をさらに保護する。本発明のさらなる実施形態では、排気孔もフラップによって覆われる。
【００３４】
図４は、フィルタエレメントの第１の側部１１１を支持するためにフラップ３２０が使用される本発明のさらなる実施形態を示す。本発明の一実施形態によるフィルタエレメントの実際の実施形態では、エレメントのハウジングの材料が厚紙または薄いプラスチックなどの薄くて安価な材料とすることができ、材料は非常に可撓性の場合がある。このような場合には、第１の側部１１１がフィルタ材料１２０の方へ容易に折り曲げられ、それによって、フィルタ材料と第１の側部１１１との間の空間の容積を減少させる。これは今度はフィルタエレメントの内部に塵埃を保持するフィルタエレメントの能力を低下させるが、それは、第１の側部がある場所でフィルタ材料に接触すると、緩んだ塵埃がフィルタエレメントの外部に戻る第１の側部の孔を通って逃げることがあるからである。これを防止するために、１つ又は複数のフラップ３２０はフィルタ材料１２０に触れるところまでフィルタ材料１２０に向かって内側に曲げられることができ、それによって、１つ又は複数のフラップ３２０はハウジングの第１の側部１１１をフィルタ材料から遠ざけるための機械的支持体を形成する。さらに、いくつかのフィルタ材料は特に多くの塵埃を収集した後に非常に柔軟であり得る。１つ又は複数のフラップ３２０による支持は、このような材料でも有益である。
【００３５】
図４はまた、フィルタエレメントのハウジングの第１の側部１１１が２つ以上の孔を含む本発明のそのような実施形態を示す。
【００３６】
図５は、フィルタエレメントがハウジング１１０の第１の側部１１１の少なくとも１つの孔を覆うための着脱可能なカバー５１０を備える実施形態を図式的に示す。図５は、フィルタエレメントのハウジング１１０内のフィルタ材料１２０も示す。取り外し可能なカバー５１０は例えば、接着剤、ベルクロ（登録商標）テープ、または当業者に知られている他の同様の方法を使用して、フィルタエレメントに取り付けることができる。更に、取り外し可能なカバーは、穿孔ライン（又は、穿孔ライナー／perforated line）又は他の引裂き可能な接続を介してフィルタエレメントに取り付けることができる。
【００３７】
本発明のさらなる実施形態では、取り外した後、カバーをフィルタエレメントに再び取り付けて、前記少なくとも１つの孔を覆うことができる。このような実施形態はフィルタエレメントの第１の側部の孔を閉鎖する便利な方法を有することが、フィルタエレメントがフィルタ装置から取り外された後にフィルタエレメントの内側に塵埃を保持するという利点を有する。
【００３８】
図６Ａおよび図６Ｂは、フィルタエレメントがハウジング１１０の第１の側部１１１の１つまたは複数の孔を覆うように折り畳むことができ、前記１つまたは複数の孔に向かう空気流のガイドを提供するように開くことができる２つのドア６１０をさらに備える、本発明の実施形態を示す。図６Ａはまた、フィルタ材料１２０を示す。図６Ａはハウジングの第１の側部の孔の上に折り畳まれたドア６１０を示しており、これにより、例えば、フィルタエレメントの取り外し後、又はフィルタエレメントを収容するフィルタ装置の搬送中に、フィルタエレメント内から環境へのいかなる塵埃の放出も抑制される。
【００３９】
図６Ｂは、フィルタリング装置２００に取り付けられたフィルタエレメント１００の概略的な切り抜き図（又は、切り欠き図／断面図）を示す。フィルタリング装置２００はまた、第２段フィルタリング要素２１０を備える。図６Ｂは、モルタルを混合するためのバケット（又は、バケツ）６２０の横に配置されたドアを示す。このドアの配置はフィルタリング装置２００によって生成された気流を案内し、バケット６２０の上方から空気を含む塵埃がフィルタ１００に移送され、一方、空気を含む塵埃のほとんどが周囲に逃げることができないようにする。このような実施形態の利点は、ドアがフィルタエレメントの第１の側部の１つ又は複数の孔に向かって空気の流れを導くので、フィルタエレメントの前に作られる塵埃をより良く封じ込めることである。図６Ｂは本発明のフィルタエレメントの可能な使用事例の一例であり、本発明は、このような使用又は例えばモルタル塵埃の除去のためだけには限定されない。本発明のフィルタエレメントは、他の多くの種類の塵埃の除去にも使用することができる。
【００４０】
さらなる利点はドアがフィルタエレメントの第１の側部の１つ又は複数の孔の上で閉じられて、フィルタエレメントの内部から環境への塵埃の拡散を妨げることができることであり、これは、フィルタエレメントを収容するフィルタ装置が周囲に移動されるとき、また、フィルタエレメントが除去されるときに有益である。
【００４１】
さらなる要素は、ドアが飛沫ガードとしても作用することである。モルタルの混合は汚い仕事であり、飛沫は容易に生成される。ドアは少なくともいくらかの飛沫を捕捉するのに役立ち、フィルタエレメントが収容されているフィルタ装置、ならびにすぐ近くの環境を飛沫から保護する。
【００４２】
本発明のフィルタエレメントは鋸引き、研削、および他の塵埃生成活動によって生成されるモルタル塵埃または塵埃などの塵埃の除去に限定されない。本発明のフィルタエレメントは、エアロゾルおよび液体の浮遊粒子の除去にも使用することができる。
【００４３】
本発明は、いくつかの利点を有する。本発明のフィルタリング素子は、フィルタエレメントの構造が捕集された塵埃をフィルタエレメント内部に保持するので、フィルタ交換を容易かつクリーンな作業にする。さらに、フィルタエレメントの構造は、フィルタの使用中、また、フィルタエレメントを含むフィルタ装置のスイッチが切られている間、収集された塵埃をフィルタエレメント内に保持する。
【００４４】
本発明のフィルタエレメントは、フィルタ材料のみによって保持されるものよりもはるかに多くの塵埃の収集を可能にする。これは、結果として、フィルタエレメントの交換の間の期間が従来技術のフィルタエレメントよりも長いという利点を有する。
【００４５】
フィルタエレメントがドアを備える本発明の実施形態は湿ったモルタルの飛沫からフィルタ装置およびそのすぐ周囲を保護する飛沫ガードを提供し、それによって、装置および／または周囲を洗浄するための労力および必要性を低減する。
【００４６】
本発明のフィルタエレメントは、これらの利点を提供しながらも、製造が安価である。
【００４７】
以下では、本発明の特定のさらなる実施形態について論じる。
【００４８】
本発明の一態様は、空気からの塵埃をフィルタリングするためのフィルタエレメントを提供する。本発明のこの態様の第１の実施形態によれば、フィルタエレメントは第１の側部および第２の側部を有する少なくともハウジングと、前記ハウジング内のフィルタ材料と、吸引チャンバを形成するための前記フィルタ材料と前記ハウジングの前記第１の側部との間の空間と、前記第１の側部内の少なくとも１つの孔とを備え、前記ハウジングの前記第１の側部に面するフィルタ材料の外周内の面積は前記少なくとも１つの孔の面積よりも大きい。
【００４９】
本発明のこの態様の第２の実施形態によれば、前記第１の側部の孔は、前記孔を覆うフラップを形成する切欠によって画定されている。
【００５０】
本発明のこの態様の第３の実施形態によれば、前記フラップは、前記孔を開けて飛沫ガードを形成するように曲げることができる。
【００５１】
本発明のこの態様の第４の実施形態によれば、前記フラップはハウジングの前記第１の側部をフィルタ材料から離しておくための機械的支持体を形成するように、フィルタ材料に向かって曲げることができる。
【００５２】
本発明のこの態様の第５の実施形態によれば、フィルタエレメントは、ハウジングの前記第１の側部にある孔のための少なくとも着脱可能なカバーをさらに備える。
【００５３】
本発明のこの態様の第６の実施形態によれば、フィルタエレメントはハウジングの第１の側部の前記１つまたは複数の孔を覆うように折り畳むことができ、前記１つまたは複数の孔に向かう空気流のためのガイドを提供するように開くことができる少なくとも２つのドアをさらに備える。
【００５４】
上記の説明を考慮すると、本発明の範囲内でいろいろな変形例があり得ることは当業者には明らかであろう。本発明の好ましい実施形態を詳細に説明してきたが、それらに対する多くの修正および変形が可能であり、それらのすべてが本発明の真の精神および範囲内に入ることは明らかであろう。
【００５５】
開示される本発明の実施形態は本明細書に開示される特定の構造、プロセスステップ、または材料に限定されず、当業者によって認識されるように、それらの等価物に拡張されることを理解されたい。本明細書で使用される用語は、特定の実施形態を説明する目的でのみ使用され、限定することを意図しないことも理解されるべきである。
【００５６】
なお、本明細書において、「一実施形態」又は「実施形態」とは実施形態に関連して説明した特定の特徴、構成又は特徴が本発明の少なくとも一実施形態に含まれることを手段するものであり、本明細書の各箇所における「一実施形態において」又は「実施形態において」の語句の出現は必ずしも全て同一の実施形態を指すものではない。
【００５７】
本明細書で使用されるように、複数のアイテム、構造要素、組成要素、および／または材料は、便宜上、共通のリストで提示されてもよい。しかしながら、これらのリストは、あたかもリストの各メンバー（又は、構成物）が個別の固有のメンバーとして個別に識別されるかのように解釈されるべきである。したがって、そのようなリストの個々のメンバーは反対の指示なしに、共通のグループにおけるそれらの提示のみに基づいて、同じリストの任意の他のメンバーの事実上の等価物として解釈されるべきではない。さらに、本発明の様々な実施形態および例は、本明細書ではその様々な構成要素の代替物とともに参照され得る。そのような実施形態、例、および代替形態は、互いの事実上の均等物として解釈されるべきではなく、本発明の別個の自律的な表現として考慮されるべきであることが理解される。
【００５８】
更に、記載される機能、構造、または特徴は、いずれの適切な態様でも、一つ以上の実施形態において組み合わせることができる。以下の説明では、本発明の実施形態の完全な理解を提供するために、長さ、幅、形状などの例など、多数の特定の詳細が提供される。しかし、当業者であれば、１以上の具体的な詳細を用いずに、又は、他の方法、部品、材料等を用いて本発明が実施され得ることを認識するのであろう。本発明の観点を曖昧にすることを避けるため、他の例における、周知の構造、材料又は操作について示すこと又は詳述することはしないこととする。
【００５９】
前述の例は１つまたは複数の特定の用途における本発明の原理を例示するものであるが、本発明の原理および概念から逸脱することなく、本発明の能力を発揮することなく、実施の形態、使用法、および詳細における多数の修正を行うことができることは当業者には明らかであろう。したがって、本発明は、以下に記載される特許請求の範囲による場合を除いて、限定されることを意図しない。
【図１】
2021532969.tif 000003
【図２】
2021532969.tif 000004
【図３】
2021532969.tif 000005
【図４】
2021532969.tif 000006
【図５】
2021532969.tif 000007
【図６Ａ】
2021532969.tif 000008
【図６Ｂ】
2021532969.tif 000009
【国際調査報告】
2021532969.tif 000010
2021532969.tif 000011
2021532969.tif 000012
2021532969.tif 000013